【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
コンテンツに対応するデータパケットを受信する入力部と、
直接メモリアクセス要求に応答して前記データパケットを記憶するバッファと、
前記バッファにおける各パケットの位置と前記バッファにおける各パケットの長さとを示す、前記バッファに記憶された前記パケットについての記述子を生成する記述子モジュールと、
リストにおいて、前記バッファにおける前記パケットの夫々について前記モジュールによって生成された前記記述子を記憶するメモリと、
前記記述子によって特定される前記パケットを前記コンテンツの更なる使用のために出力する出力部と
を有する変調器。
【請求項２】
前記記述子モジュールは、前記データパケットを前記バッファにコピーし、前記データパケットが前記メモリにおいて前記リストに現れるかどうかを決定するコピーブロックを有する、
請求項１に記載の変調器。
【請求項３】
前記記述子モジュールは、前記コピーブロックによってコピーされたデータパケットが現在のデータ転送要求に対応しないと決定された場合にデータ転送要求を前記リストに加え、更新されたデータ転送リストを生成するデータ転送ブロックを有する、
請求項２に記載の変調器。
【請求項４】
前記記述子モジュールは、出力のために前記更新されたデータ転送リストに従って前記データパケットを転送する転送モジュールを有する、
請求項３に記載の変調器。
【請求項５】
媒体から受信されるパケット化されたデータをコピーし、該パケット化されたデータがデータ転送要求のリストに現れるかどうかを決定するステップと、
コピーされたデータパケットが現在のデータ転送要求に対応しないと決定された場合にデータ転送リストを前記リストに加え、更新されたデータ転送リストを生成するステップと、
出力のために前記更新されたデータ転送リストに従って前記データパケットを転送するステップと
を有するコンテンツ表示方法。
【請求項６】
前記媒体から受信された前記データパケットの夫々について、該受信されたデータパケットの長さ及び位置を示すよう記述子を生成するステップ
を更に有する請求項５に記載のコンテンツ表示方法。
【請求項７】
前記データパケットの夫々に対応する前記記述子の夫々を前記リストにおいて記憶するステップ
を更に有する請求項６に記載のコンテンツ表示方法。
【請求項８】
前記データ転送リストを前記リストに加え、更新されたデータ転送リストを生成するステップは、新しい記述子を前記リストに加えて前記更新されたデータ転送リストを生成することを更に含む、
請求項７に記載のコンテンツ表示方法。
【請求項９】
前記更新されたデータ転送リストに従って更なる使用のために前記データパケットを転送するステップ
を更に有する請求項８に記載のコンテンツ表示方法。
【請求項１０】
ソースからデータを受信し、データパケットを含むトランスポートストリームを出力する受信器と、
異なる出力が別個の装置によって受信されることを可能にするために、対応する複数の固定チャネルに静的に同調され得る複数の出力チャネルを生成するよう前記トランスポートストリームを周波数において変調する変調器と、
直接メモリアクセス要求に応答して前記データパケットを受信するバッファと、
前記直接メモリアクセス要求に応答して受信されたトランスポートパケットのグループについて記述子を生成し、前記装置のうちの１つへの出力のために前記固定チャネルのうちのどれにコンテンツが静的に同調されるかを示すプロセッサと
を有するコンテンツ表示システム。
【請求項１１】
前記変調器は、
コンテンツに対応するデータパケットを受信する入力部と、
直接メモリアクセス要求に応答して前記データパケットを記憶するバッファと、
前記バッファにおける各パケットの位置と前記バッファにおける各パケットの長さとを示す、前記バッファに記憶された前記パケットについての記述子を生成する記述子モジュールと、
リストにおいて、前記バッファにおける前記パケットの夫々について前記モジュールによって生成された前記記述子を記憶するメモリと、
前記記述子によって特定される前記パケットを前記コンテンツの更なる使用のために出力する出力部と
を有する、
請求項１０に記載のコンテンツ表示システム。
【請求項１２】
前記記述子モジュールは、前記データパケットを前記バッファにコピーし、前記データパケットが前記メモリにおいて前記リストに現れるかどうかを決定するコピーブロックを有する、
請求項１１に記載のコンテンツ表示システム。
【請求項１３】
前記記述子モジュールは、前記コピーブロックによってコピーされたデータパケットが現在のデータ転送要求に対応しないと決定された場合にデータ転送要求を前記リストに加え、更新されたデータ転送リストを生成するデータ転送ブロックを有する、
請求項１２に記載のコンテンツ表示システム。
【請求項１４】
前記記述子モジュールは、出力のために前記更新されたデータ転送リストに従って前記データパケットを転送する転送モジュールを有する、
請求項１３に記載のコンテンツ表示システム。
【請求項１５】
前記出力部は、前記データパケットに対応する前記記述子を記憶する複数のメモリユニットを有し、それにより、前記データパケット及び前記記述子は出力装置へ転送され得、それにより、該出力装置は静的に前記データパケットを受信することができる、
請求項１４に記載のコンテンツ表示システム。
【請求項１６】
前記変調器と通信し、前記データパケットを複数のサブチャネルに分ける分割器
を更に有する請求項１５に記載のコンテンツ表示システム。
【請求項１７】
前記分割器は、前記データパケットを、コンテンツ装置へ夫々静的に出力され得る複数のサブチャネルに分ける、
請求項１６に記載のコンテンツ表示システム。
【請求項１８】
前記分割器は、前記データパケットを１２個のサブチャネルに分ける、
請求項１７に記載のコンテンツ表示システム。
【請求項１９】
前記変調器は、直交振幅変調器を有する、
請求項１８に記載のコンテンツ表示システム。
【請求項２０】
前記データパケットは、ビデオデータパケットを有する、
請求項１０に記載のコンテンツ表示システム。
【手続補正２】
【補正対象書類名】明細書
【補正対象項目名】００３２
【補正方法】変更
【補正の内容】
【００３２】
このように、本発明に従ってコンテンツ分配システムの望ましい実施形態が記載されてきた。望ましい実施形態は記載及び開示されているが、当業者に明らかなように、変形例は本発明の実際の精神及び適用範囲内にある。添付の特許請求の範囲は、そのような変形例を包含するよう意図される。  
上記の実施形態に加えて、以下の付記を開示する。
（付記１）
コンテンツに対応するデータパケットを受信する入力部と、
直接メモリアクセス要求に応答して前記データパケットを記憶するバッファと、
前記バッファにおける各パケットの位置と前記バッファにおける各パケットの長さとを示す、前記バッファに記憶された前記パケットについての記述子を生成する記述子モジュールと、
リストにおいて、前記バッファにおける前記パケットの夫々について前記モジュールによって生成された前記記述子を記憶するメモリと、
前記記述子によって特定される前記パケットを前記コンテンツの更なる使用のために出力する出力部と
を有する変調器。
（付記２）
前記記述子モジュールは、前記データパケットを前記バッファにコピーし、前記データパケットが前記メモリにおいて前記リストに現れるかどうかを決定するコピーブロックを有する、
付記１に記載の変調器。
（付記３）
前記記述子モジュールは、前記コピーブロックによってコピーされたデータパケットが現在のデータ転送要求に対応しないと決定された場合にデータ転送要求を前記リストに加え、更新されたデータ転送リストを生成するデータ転送ブロックを有する、
付記２に記載の変調器。
（付記４）
前記記述子モジュールは、出力のために前記更新されたデータ転送リストに従って前記データパケットを転送する転送モジュールを有する、
付記３に記載の変調器。
（付記５）
媒体から受信されるパケット化されたデータをコピーし、該パケット化されたデータがデータ転送要求のリストに現れるかどうかを決定するステップと、
コピーされたデータパケットが現在のデータ転送要求に対応しないと決定された場合にデータ転送リストを前記リストに加え、更新されたデータ転送リストを生成するステップと、
出力のために前記更新されたデータ転送リストに従って前記データパケットを転送するステップと
を有するコンテンツ表示方法。
（付記６）
前記媒体から受信された前記データパケットの夫々について、該受信されたデータパケットの長さ及び位置を示すよう記述子を生成するステップ
を更に有する付記５に記載のコンテンツ表示方法。
（付記７）
前記データパケットの夫々に対応する前記記述子の夫々を前記リストにおいて記憶するステップ
を更に有する付記６に記載のコンテンツ表示方法。
（付記８）
前記データ転送リストを前記リストに加え、更新されたデータ転送リストを生成するステップは、新しい記述子を前記リストに加えて前記更新されたデータ転送リストを生成することを更に含む、
付記７に記載のコンテンツ表示方法。
（付記９）
前記更新されたデータ転送リストに従って更なる使用のために前記データパケットを転送するステップ
を更に有する付記８に記載のコンテンツ表示方法。
（付記１０）
ソースからデータを受信し、データパケットを含むトランスポートストリームを出力する受信器と、
異なる出力が別個の装置によって受信されることを可能にするために、対応する複数の固定チャネルに静的に同調され得る複数の出力チャネルを生成するよう前記トランスポートストリームを周波数において変調する変調器と、
直接メモリアクセス要求に応答して前記データパケットを受信するバッファと、
前記直接メモリアクセス要求に応答して受信されたトランスポートパケットのグループについて記述子を生成し、前記装置のうちの１つへの出力のために前記固定チャネルのうちのどれにコンテンツが静的に同調されるかを示すプロセッサと
を有するコンテンツ表示システム。
（付記１１）
前記変調器は、
コンテンツに対応するデータパケットを受信する入力部と、
直接メモリアクセス要求に応答して前記データパケットを記憶するバッファと、
前記バッファにおける各パケットの位置と前記バッファにおける各パケットの長さとを示す、前記バッファに記憶された前記パケットについての記述子を生成する記述子モジュールと、
リストにおいて、前記バッファにおける前記パケットの夫々について前記モジュールによって生成された前記記述子を記憶するメモリと、
前記記述子によって特定される前記パケットを前記コンテンツの更なる使用のために出力する出力部と
を有する、
付記１０に記載のコンテンツ表示システム。
（付記１２）
前記記述子モジュールは、前記データパケットを前記バッファにコピーし、前記データパケットが前記メモリにおいて前記リストに現れるかどうかを決定するコピーブロックを有する、
付記１１に記載のコンテンツ表示システム。
（付記１３）
前記記述子モジュールは、前記コピーブロックによってコピーされたデータパケットが現在のデータ転送要求に対応しないと決定された場合にデータ転送要求を前記リストに加え、更新されたデータ転送リストを生成するデータ転送ブロックを有する、
付記１２に記載のコンテンツ表示システム。
（付記１４）
前記記述子モジュールは、出力のために前記更新されたデータ転送リストに従って前記データパケットを転送する転送モジュールを有する、
付記１３に記載のコンテンツ表示システム。
（付記１５）
前記出力部は、前記データパケットに対応する前記記述子を記憶する複数のメモリユニットを有し、それにより、前記データパケット及び前記記述子は出力装置へ転送され得、それにより、該出力装置は静的に前記データパケットを受信することができる、
付記１４に記載のコンテンツ表示システム。
（付記１６）
前記変調器と通信し、前記データパケットを複数のサブチャネルに分ける分割器
を更に有する付記１５に記載のコンテンツ表示システム。
（付記１７）
前記分割器は、前記データパケットを、コンテンツ装置へ夫々静的に出力され得る複数のサブチャネルに分ける、
付記１６に記載のコンテンツ表示システム。
（付記１８）
前記分割器は、前記データパケットを１２個のサブチャネルに分ける、
付記１７に記載のコンテンツ表示システム。
（付記１９）
前記変調器は、直交振幅変調器を有する、
付記１８に記載のコンテンツ表示システム。
（付記２０）
前記データパケットは、ビデオデータパケットを有する、
付記１０に記載のコンテンツ表示システム。